(57)【要約】【課題】  この発明は、制御用コンピュータによって投射型映像表示装置の各種設定を行なう場合に、投射型映像表示装置側で各種設定を行なう手順と同じ手順でユーザが設定操作を行なうことができる投射型映像表示装置を提供することを目的とする。【解決手段】  制御用コンピュータにネットワークを介して接続されたサーバ手段を備えている投射型映像表示装置において、サーバ手段は、制御用コンピュータのブラウザからのアクセスに基づいて、投射型映像表示装置の各種設定内容を制御する設定内容制御手段を備えており、設定内容制御手段は、制御用コンピュータのブラウザからのアクセスに基づいて各種設定内容を制御する際には、投射型映像表示装置側で各種設定を行なうためのＧＵＩと同じ階層構造でかつ同じ内容の設定画面を制御用コンピュータに表示させるためのＷｅｂページを、制御用コンピュータに提供する手段を備えている。【選択図】  図１
2006301432.tif 000002
【特許請求の範囲】
【請求項１】
制御用コンピュータにネットワークを介して接続されたサーバ手段を備えている投射型映像表示装置において、サーバ手段は、制御用コンピュータのブラウザからのアクセスに基づいて、投射型映像表示装置の各種設定内容を制御する設定内容制御手段を備えており、設定内容制御手段は、制御用コンピュータのブラウザからのアクセスに基づいて各種設定内容を制御する際には、投射型映像表示装置側で各種設定を行なうためのＧＵＩと同じ階層構造でかつ同じ内容を含む設定画面を制御用コンピュータに表示させるためのＷｅｂページを、制御用コンピュータに提供する手段を備えていることを特徴とする投射型映像表示装置。
【請求項２】
設定画面を制御用コンピュータに表示させるためのＷｅｂページには、投射型映像表示装置のリモートコントローラに設けられているキーと同様なキーを操作キーとして制御用コンピュータに表示させるためのデータが含まれていることを特徴とする請求項１に記載の投射型映像表示装置。
【請求項３】
設定画面を制御用コンピュータに表示させるためのＷｅｂページには、投射型映像表示装置の本体操作部に設けられているキーと同様なキーを操作キーとして制御用コンピュータに表示させるためのデータが含まれていることを特徴とする請求項１に記載の投射型映像表示装置。
【発明の詳細な説明】
【技術分野】
【０００１】
この発明は、液晶プロジェクタ、ＤＬＰプロジェクタ等の投射型映像表示装置に関する。
【背景技術】
【０００２】
液晶プロジェクタにネットワークに接続されたサーバ手段を設け、ネットワークに接続されたＰＣ等の制御用コンピュータのブラウザからの操作要求に応じてサーバ手段が液晶プロジェクタを制御するようにしたシステムが既に開発されている（例えば、特許文献１参照）。しかしながら、サーバ手段からどのような内容のＷｅｂページが提供されるかについては、何ら示されていない。
【特許文献１】特開２００２−２５２８８０号公報
【発明の開示】
【発明が解決しようとする課題】
【０００３】
この発明は、上記従来技術を改良したものであって、制御用コンピュータによって投射型映像表示装置の各種設定を行なう場合に、投射型映像表示装置側で各種設定を行なう手順と同じ手順でユーザが設定操作を行なうことができ、設定操作が容易となる投射型映像表示装置を提供することを目的とする。
【課題を解決するための手段】
【０００４】
請求項１に記載の発明は、制御用コンピュータにネットワークを介して接続されたサーバ手段を備えている投射型映像表示装置において、サーバ手段は、制御用コンピュータのブラウザからのアクセスに基づいて、投射型映像表示装置の各種設定内容を制御する設定内容制御手段を備えており、設定内容制御手段は、制御用コンピュータのブラウザからのアクセスに基づいて各種設定内容を制御する際には、投射型映像表示装置側で各種設定を行なうためのＧＵＩと同じ階層構造でかつ同じ内容を含む設定画面を制御用コンピュータに表示させるためのＷｅｂページを、制御用コンピュータに提供する手段を備えていることを特徴とする。
【０００５】
請求項２に記載の発明は、請求項１に記載の発明において、設定画面を制御用コンピュータに表示させるためのＷｅｂページには、投射型映像表示装置のリモートコントローラに設けられているキーと同様なキーを操作キーとして制御用コンピュータに表示させるためのデータが含まれていることを特徴とする。
【０００６】
請求項３に記載の発明は、請求項１に記載の発明において、設定画面を制御用コンピュータに表示させるためのＷｅｂページには、投射型映像表示装置の本体操作部に設けられているキーと同様なキーを操作キーとして制御用コンピュータに表示させるためのデータが含まれていることを特徴とする。
【発明の効果】
【０００７】
請求項１に記載の発明によれば、制御用コンピュータによって投射型映像表示装置の各種設定を行なう場合には、投射型映像表示装置側で各種設定を行なうためのＧＵＩと同じ階層構造でかつ同じ内容を含む設定画面が制御用コンピュータに表示されるので、投射型映像表示装置側で各種設定を行なう手順と同じ手順でユーザが設定操作を行なうことができ、設定操作が容易となる。
【０００８】
請求項２または３に記載の発明によれば、制御用コンピュータによって投射型映像表示装置の各種設定を行なう場合に、投射型映像表示装置のリモートコントローラまたは投射型映像表示装置の本体操作部に設けられているキーと同様なキーが操作キーとして制御用コンピュータに表示されるので、設定操作がより一層、行ない易くなる。
【発明を実施するための最良の形態】
【０００９】
以下、図面を参照して、この発明を液晶プロジェクタに適用した場合の実施例について説明する。
【実施例１】
【００１０】
図１は、液晶プロジェクタの制御システムの構成を示している。
【００１１】
液晶プロジェクタの制御システムは、液晶プロジェクタ１と、液晶プロジェクタ１にネットワーク３を介して接続された制御用コンピュータ（ＰＣ）４とを備えている。
【００１２】
液晶プロジェクタ１は、サーバモジュール（サーバ手段）２を備えている。これにより、液晶プロジェクタ１はＷＷＷサーバとして機能することができる。ネットワーク３としては、例えば、ＴＣＰ／ＩＰベースのＬＡＮが用いられている。ＰＣ４には、ＷＷＷブラウザがインストールされている。
【００１３】
図２は、液晶プロジェクタ１の構成を示している。
【００１４】
液晶プロジェクタ１は、サーバモジュール２の他、液晶プロジェクタ本体側ＣＰＵ１１を備えている。液晶プロジェクタ本体側ＣＰＵ１１は、液晶プロジェクタ本体側ＣＰＵ１１のプログラム等を記憶するＲＯＭ１２、必要なデータを記憶するＲＡＭ１３および設定値等を記憶する不揮発性メモリ１４を備えている。液晶プロジェクタ本体側ＣＰＵ１１には、入力映像を投影するために必要な映像処理部１５が接続されている。
【００１５】
サーバモジュール２は、サーバモジュール側ＣＰＵ２１、ＨＤＤ２２およびネットワークデバイス２３を備えている。サーバモジュール側ＣＰＵ２１は、液晶プロジェクタ本体側ＣＰＵ１１に接続されている。サーバモジュール側ＣＰＵ２１は、ネットワークデバイス２３を介してネットワーク３に接続されている。ＨＤＤ２２には、サーバモジュール側ＣＰＵ２１のプログラム、Ｗｅｂページを提供するために必要なデータ等が格納されている。
【００１６】
液晶プロジェクタ１を起動せずにＰＣ４から液晶プロジェクタ１の設定を行なう場合には、液晶プロジェクタ１を待機状態にする。
【００１７】
ＰＣ４側においてＷＷＷブラウザを起動し、ＵＲＬとして液晶プロジェクタ１に予め設定されているＩＰアドレスを指定すると、サーバモジュール２によって、図３に示すような初期画面を構成するＷｅｂページがＰＣ４側に送られ、ＰＣ４側のＷＷＷブラウザによって、当該初期画面がＰＣ４のモニタ上に表示される。
【００１８】
初期画面は、図３に示すように、画面の左側に表示されるキー・ウインドウ３１からなる。キー・ウインドウ３１には、液晶プロジェクタ１で用いられているリモートコントローラのキー（リモコンキー）が、リモートコントローラと同様な形態で表示される。なお、キー・ウインドウ３１に、液晶プロジェクタ１の本体操作部に設けられているキーを、液晶プロジェクタ１の本体操作部と同様な形態で表示させるようにしてもよい。
【００１９】
ＰＣ４の操作者は、液晶プロジェクタ１の各種設定を行ないたい場合には、初期画面に表示されているリモコンキーのうちのメニューキーをクリックする。
【００２０】
メニューキーがクリックされると、それに応じた制御コマンドがサーバモジュール２に送られ、サーバモジュール２によって、図４に示すようなメニュー画面（設定画面）をＰＣ４側に表示させるためのＷｅｂページがＰＣ４側に送られる。これにより、ＰＣ４のモニタには、図４に示すように、キー・ウインドウ３１の右側にメニュー画面（設定画面）を含むメニュー・ウインドウ３２が表示される。
【００２１】
この実施例では、ＰＣ４のモニタに表示されている初期画面内のリモコンキーのうちのメニューキーがクリックされた場合には、液晶プロジェクタ１のリモートコントローラのメニューボタンが押された場合に液晶プロジェクタ１によって表示されるメニュー画面と同じメニュー画面がＰＣ４のモニタ上に表示されるようになっている。また、ＰＣ４のモニタ上に表示されるメニュー画面内の選択項目を選択した場合に表示される各種メニュー画面（各種設定画面）も、液晶プロジェクタ１のリモートコントローラを用いて、液晶プロジェクタ１によって表示されたメニュー画面内の選択項目を選択した場合に表示されるメニュー画面（設定画面）と同じ画面が表示されるようになっている。
【００２２】
つまり、この実施例では、サーバモジュール２は、液晶プロジェクタ１側で各種設定を行なうためのＧＵＩ( Graphical User Interface) と同じ階層構造でかつ同じ内容のメニュー画面（設定画面）を構成するＷｅｂページを、ＰＣ４側に提供する機能（手段）を備えている。
【００２３】
図４の例では、メニュー・ウインドウ３２内には、最上位階層の選択項目１０１〜１０６が表示される。最上位階層の選択項目としては、次のようなものがある。
【００２４】
（１）Input(入力) 
入力信号（Video, S-video, Component ,PC 等）を選択するための項目である。
（２）System（映像システム）
映像システム（NTSC,PAL,XGA等) を選択するための項目である。
（３）Image(イメージ）
各種映像に適するように予め用意されたイメージ設定を選択するための項目である。
（４）Image Adjustment( イメージ調整）
映像調整( コントラスト, ブライトネス，ホワイトバランス等）を行なうための項目である。
（５）Screen( スクリーン）
画面モードを設定するための項目である。
（６）Setting(設定) 
設置で使用する機能やその他の設定を行なうための項目である。例えば、言語、キーストーン、電源管理などの設定を行なうための項目である。
【００２５】
例えば、図４のメニュー・ウインドウ３２内の選択項目”Setting(設定) ”がクリックされると、これに対応してサーバモジュール２から送られてくるＷｅｂページに基づいて、図５に示すように、メニュー・ウインドウ３２内に、最上位階層の選択項目１０１〜１０６の他、選択項目”Setting(設定) ”に応じたその１つ下の階層の選択項目１１１〜１１６が表示される。また、メニュー画面３２の下側に、ヘルプウインドウ３３が表示され、ヘルプウインドウ３３に選択項目１１１〜１１６に対する補足説明が表示される。ただし、図５の例では、選択項目１１１に対する補足説明のみが示されている。この例では、選択項目１１１は言語の設定を行なうための選択項目であり、選択項目１１２は、自動信号調整を行なうための選択項目である。
【００２６】
図５のメニュー・ウインドウ３２内の選択項目”言語”がクリックされると、これに対応してサーバモジュール２から送られてくるＷｅｂページに基づいて、図６に示すように、メニュー・ウインドウ３２内に、最上位階層の選択項目１０１〜１０６および選択項目”Setting(設定) ”に応じたその１つ下の階層の選択項目１１１〜１１６の他に、選択項目”言語”１１１”に応じた最下位層の選択項目１２１〜１２８が表示される。この例では、選択項目１２１は言語を英語に選択するための選択項目であり、選択項目１２２は、言語を日本語に選択するための選択項目である。
【００２７】
図６のメニュー・ウインドウ３２内の選択項目”日本語”がクリックされると、そに応じた制御コマンドがサーバモジュール２に送られ、液晶プロジェクタ１側において、言語として日本語が設定される。
【００２８】
このようにＰＣ４側の操作によって設定された設定内容は、ＣＰＵ２１およびＣＰＵ１１を介して不揮発性メモリ１４に格納される。
【００２９】
なお、液晶プロジェクタ１が起動されている場合にも、上記と同様に、ＰＣ４によって各種設定を行なうことが可能である。この場合、液晶プロジェクタ１によって投影される投影画面にメニュー（ＧＵＩ）を表示するか否かを選択することができるようにしてもよい。
【図面の簡単な説明】
【００３０】
【図１】液晶プロジェクタの制御システムの構成を示すブロック図である。
【図２】液晶プロジェクタ１の構成を示すブロック図である。
【図３】液晶プロジェクタにＰＣ４がアクセスしたときに最初にＰＣ側に表示されるＷｅｂページ（初期画面）を示す模式図である。
【図４】ＰＣ４側に表示される画面の例を示す模式図である。
【図５】ＰＣ４側に表示される画面の例を示す模式図である。
【図６】ＰＣ４側に表示される画面の例を示す模式図である。
【符号の説明】
【００３１】
１  液晶プロジェクタ
２  サーバモジュール（サーバ手段）
３  ネットワーク
４  制御用コンピュータ（ＰＣ）
１１  液晶プロジェクタ本体側ＣＰＵ
１２  ＲＯＭ
１３  ＲＡＭ
１４  不揮発性メモリ
１５  映像処理部
２１  サーバモジュール側ＣＰＵ
２２  ＨＤＤ
２３  ネットワークデバイス
【図１】
2006301432.tif 000003
【図２】
2006301432.tif 000004
【図３】
2006301432.tif 000005
【図４】
2006301432.tif 000006
【図５】
2006301432.tif 000007
【図６】
2006301432.tif 000008